(57)【特許請求の範囲】
【請求項１】
第１デバイスと、
前記第１デバイスと一定間隔で配置される第２デバイスと、
前記第１デバイスおよび前記第２デバイスの外面と接触するように固定的に組立てられ、一側接続端となる第２組立ターミナルと、
前記第１デバイスおよび前記第２デバイスの間に接触するように固定的に組立てられ、他側接続端となる第１組立ターミナルとを含み、
前記第１組立ターミナルおよび前記第２組立ターミナルのうちの少なくとも一つは、クリップ形状であり、
前記第１組立ターミナルと前記第２組立ターミナルとの間に介在する絶縁部材をさらに含むことを特徴とする、電力半導体モジュール。
【請求項２】
封止材を用いて、前記固定的に組立てられている状態を維持するように保護外面を形成する保護部をさらに含むことを特徴とする、請求項１に記載の電力半導体モジュール。
【請求項３】
前記第１組立ターミナルの内側、または前記第２組立ターミナルの外側に付着する絶縁部材をさらに含むことを特徴とする、請求項１に記載の電力半導体モジュール。
【請求項４】
前記第１組立ターミナルの一側末端は、一字形状であることを特徴とする、請求項１に記載の電力半導体モジュール。
【請求項５】
前記第１組立ターミナルの一側末端は、コ字形状またはコ字を反転させた形状であることを特徴とする、請求項１に記載の電力半導体モジュール。
【請求項６】
前記第１組立ターミナルの他側末端は、前記第１組立ターミナルの他の部分より幅がより広いことを特徴とする、請求項１に記載の電力半導体モジュール。
【請求項７】
前記第１組立ターミナルの他側末端、または前記第２組立ターミナルの両側末端が、鋸歯形状であることを特徴とする、請求項１に記載の電力半導体モジュール。
【請求項８】
前記第１組立ターミナルの他側末端、または前記第２組立ターミナルの両側末端が、屈曲のある形状であることを特徴とする、請求項１に記載の電力半導体モジュール。
【請求項９】
前記第１デバイスおよび前記第２デバイスは、ＦＥＴ（Ｆｉｅｌｄ  Ｅｆｆｅｃｔ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  ＦＥＴ）、ＩＧＢＴ（Ｉｎｓｕｌａｔｅｄ  Ｇａｔｅ  Ｂｉｐｏｌａｒ  Ｍｏｄｅ  Ｔｒａｎｓｉｓｔｏｒ）、およびパワー整流ダイオードのうちのいずれか１つであることを特徴とする、請求項１に記載の電力半導体モジュール。
【請求項１０】
前記封止材は、金型を通して、前記第１組立ターミナルおよび前記第２組立ターミナルが圧着された状態で流入して凝固することを特徴とする、請求項２に記載の電力半導体モジュール。
【請求項１１】
前記封止材は、熱硬化性樹脂であることを特徴とする、請求項２に記載の電力半導体モジュール。
【請求項１２】
第１デバイスを配置し、前記第１デバイスと一定間隔で第２デバイスを配置する配置ステップと、
一側接続端となる第２組立ターミナルを、前記第１デバイスおよび前記第２デバイスの外面と接触するように固定的に組立てる第１固定組立ステップと、
他側接続端となる第１組立ターミナルを、前記第１デバイスおよび前記第２デバイスの間に接触するように固定的に組立てる第２固定組立ステップとを含み、
前記第１組立ターミナルおよび前記第２組立ターミナルのうちの少なくとも一つは、クリップ形状であり、
前記第１組立ターミナルと前記第２組立ターミナルとの間に絶縁部材を介在させるステップをさらに含むことを特徴とする、電力半導体モジュールの製造方法。
【請求項１３】
封止材を用いて、前記固定的に組立てられている状態を維持するように保護外面のための保護部を形成する保護部形成ステップをさらに含むことを特徴とする、請求項１２に記載の電力半導体モジュールの製造方法。
【請求項１４】
前記第１組立ターミナルの内側、または前記第２組立ターミナルの外側に絶縁部材を付着させるステップをさらに含むことを特徴とする、請求項１２に記載の電力半導体モジュールの製造方法。
【請求項１５】
前記保護部形成ステップは、金型を用いて前記第１組立ターミナルおよび前記第２組立ターミナルを圧着するステップと、
前記金型を通して前記封止材を流入させて凝固させるステップとを含むことを特徴とする、請求項１３に記載の電力半導体モジュールの製造方法。
【請求項１６】
前記封止材は、熱硬化性樹脂であることを特徴とする、請求項１３に記載の電力半導体モジュールの製造方法。
【発明の詳細な説明】
【技術分野】
【０００１】
本発明は、電力半導体モジュールに関するものであって、より詳細には、クリップ状のターミナルを介して内部デバイスを直接接続する電力半導体モジュールおよびその製造方法に関するものである。
【背景技術】
【０００２】
一般的に、電力半導体モジュールは、熱のため、大電力化、高放熱実現のために、電流密度が高いパワーデバイス、熱抵抗が低い絶縁構造のパッケージ実現方式を適用している。
【０００３】
具体的には、ＳＣＲ（Ｓｉｌｉｃｏｎ  Ｃｏｎｔｒｏｌｌｅｄ  Ｒｅｃｔｉｆｉｅｒ）、ＩＧＢＴ（Ｉｎｓｕｌａｔｅｄ  Ｇａｔｅ  Ｂｉｐｏｌａｒ  Ｍｏｄｅ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  ＦＥＴ）、またはこれらの組合体のような大部分の電力半導体は、電気的に絶縁されないパッケージ内に組立てられる。
【０００４】
つまり、通常、パッケージ型装置の後方側を形成する金属タブが、パッケージ型装置内にある半導体ダイに、ソルダリング工程および／またはワイヤ接合工程により電気的に結合される。一般的に、ソルダリング工程は、熱を加えてソルダ（ｓｏｌｄｅｒ）を溶かして接合する方式である。また、ワイヤ接合工程は、ワイヤ状のＡｕ、Ａｌ、Ｃｕなどを溶接により接合する方式である。
【０００５】
しかし、電力半導体モジュールは、通常、約３０〜１，０００Ｖの比較的高圧で、論理装置および／またはメモリ装置のような他の電子半導体装置に比べて高圧で作動するように設計されている。
【０００６】
また、電力半導体モジュールは、エンジン隔室または工場のように比較的高温の場所で用いられるため、作動中、一部装置の放熱および／または環境によって放熱が多く発生する。
【０００７】
したがって、数ワットまたは数キロワットの電力を発生させて環境温度を上昇させる能動型装置の間に熱抵抗を最小化させることが重要である。
【０００８】
また、ソルダリングおよび／またはワイヤ工程によって材料費および工程費用が上昇する欠点がある。
【発明の概要】
【発明が解決しようとする課題】
【０００９】
本発明は、上記の背景技術による問題を解消するためになされたものであって、クリップ状のターミナルを介して内部デバイスを直接接続する電力半導体モジュールおよびその製造方法を提供する。
【課題を解決するための手段】
【００１０】
本発明の一側面は、上記の課題を達成するために、クリップ状のターミナルを介して内部デバイスを直接接続する電力半導体モジュールを提供する。
【００１１】
前記電力半導体モジュールは、第１デバイスと、前記第１デバイスと一定間隔で配置される第２デバイスと、前記第１デバイスおよび前記第２デバイスの外面と接触するように固定的に組立てられ、一側接続端となる第２組立ターミナルと、前記第１デバイスおよび前記第２デバイスの間に接触するように固定的に組立てられ、他側接続端となる第１組立ターミナルとを含むことを特徴とする。
【００１２】
この時、前記第１組立ターミナルおよび前記第２組立ターミナルは、クリップ形状であることを特徴とすることができる。
【００１３】
また、前記電力半導体モジュールは、封止材を用いて、前記固定的に組立てられている状態を維持するように保護外面を形成する保護部をさらに含むことを特徴とすることができる。
【００１４】
また、前記電力半導体モジュールは、前記第１組立ターミナルと前記第２組立ターミナルとの間に介在する絶縁部材をさらに含むことを特徴とすることができる。
【００１５】
また、前記電力半導体モジュールは、前記第１組立ターミナルの内側、または前記第２組立ターミナルの外側に付着する絶縁部材をさらに含むことを特徴とすることができる。
【００１６】
また、前記第１組立ターミナルの一側末端は、一字形状であることを特徴とすることができる。
【００１７】
これと異なり、前記第１組立ターミナルの一側末端は、コ字形状またはコ字を反転させた形状であることを特徴とすることができる。
【００１８】
また、前記第１組立ターミナルの他側末端は、前記第１組立ターミナルの他の部分より幅がより広いことを特徴とすることができる。
【００１９】
これと異なり、前記第１組立ターミナルの他側末端、または前記第２組立ターミナルの両側末端が、鋸歯形状であることを特徴とすることができる。
【００２０】
これと異なり、前記第１組立ターミナルの他側末端、または前記第２組立ターミナルの両側末端が、屈曲のある形状であることを特徴とすることができる。
【００２１】
また、前記第１デバイスおよび前記第２デバイスは、ＦＥＴ（Ｆｉｅｌｄ  Ｅｆｆｅｃｔ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  ＦＥＴ）、ＩＧＢＴ（Ｉｎｓｕｌａｔｅｄ  Ｇａｔｅ  Ｂｉｐｏｌａｒ  Ｍｏｄｅ  Ｔｒａｎｓｉｓｔｏｒ）、およびパワー整流ダイオードのうちのいずれか１つであることを特徴とすることができる。
【００２２】
また、前記封止材は、金型を通して、前記第１組立ターミナルおよび前記第２組立ターミナルが圧着された状態で流入して凝固することを特徴とすることができる。
【００２３】
また、前記封止材は、熱硬化性樹脂であることを特徴とすることができる。
【００２４】
一方、本発明の他の側面は、第１デバイスを配置し、前記第１デバイスと一定間隔で第２デバイスを配置する配置ステップと、一側接続端となる第２組立ターミナルを、前記第１デバイスおよび前記第２デバイスの外面と接触するように固定的に組立てる第１固定組立ステップと、他側接続端となる第１組立ターミナルを、前記第１デバイスおよび前記第２デバイスの間に接触するように固定的に組立てる第２固定組立ステップとを含むことを特徴とする、電力半導体モジュールの製造方法を提供する。
【００２５】
また、前記製造方法は、封止材を用いて、前記固定的に組立てられている状態を維持するように保護外面のための保護部を形成する保護部形成ステップをさらに含むことを特徴とすることができる。
【００２６】
また、前記製造方法は、前記第１組立ターミナルと前記第２組立ターミナルとの間に絶縁部材を介在させるステップをさらに含むことを特徴とすることができる。
【００２７】
これと異なり、前記製造方法は、前記第１組立ターミナルの内側、または前記第２組立ターミナルの外側に絶縁部材を付着させるステップをさらに含むことを特徴とすることができる。
【００２８】
また、前記保護部形成ステップは、金型を用いて前記第１組立ターミナルおよび前記第２組立ターミナルを圧着するステップと、前記金型を通して前記封止材を流入させて凝固させるステップとを含むことを特徴とすることができる。
【発明の効果】
【００２９】
本発明によれば、他の異種接着剤なしでもクリップ状のターミナルを介して内部デバイスを直接接続することができる。
【００３０】
また、本発明の他の効果としては、追加の接合材料、および／またはソルダリング、ワイヤ接合工程が要求されないため、工程費用および空間効率を高めて価格低減を実現することが可能である点が挙げられる。
【００３１】
さらに、本発明の他の効果としては、金属性のクリップ形状を用いるため、両面冷却構造が可能であり、これによって性能改善の効果を期待することができる点が挙げられる。
【図面の簡単な説明】
【００３２】
【図１】本発明の第１実施形態にかかる電力半導体モジュールの内部接続を示す概念図である。
【図２】図１により組立ターミナルを組立てた後、封止材を用いて最終固定した状態を示す概念図である。
【図３】本発明の第２実施形態にかかる入力端を変形した電力半導体モジュールの構造を示す概念図である。
【図４】本発明の第３実施形態にかかる入力端を変形した電力半導体モジュールの構造を示す概念図である。
【図５】本発明の第４実施形態にかかる組立ターミナルとデバイスとの間の接触強度を高めるための電力半導体モジュールの構造を示す概念図である。
【図６】本発明の第５実施形態にかかる組立ターミナルとデバイスとの間の接触強度を高めるための電力半導体モジュールの構造を示す概念図である。
【図７】本発明の第６実施形態にかかる組立ターミナルとデバイスとの間の接触強度を高めるための電力半導体モジュールの構造を示す概念図である。
【図８】本発明の第７実施形態にかかる絶縁部材を組立ターミナルに付着させた状態において電力半導体モジュールの内部接続を示す概念図である。
【図９】本発明の第８実施形態にかかる金型を用いて組立ターミナルとデバイスとの間の接触強度をさらに強化する概念図である。
【図１０】本発明の一実施形態にかかる組立ターミナルを用いた電力半導体モジュールの製造過程を示すフローチャートである。
【発明を実施するための形態】
【００３３】
本発明は、多様な変更を加えることができ、様々な実施形態を有することができるが、特定の実施形態を図面に例示して詳細な説明に具体的に説明する。しかし、これは本発明を特定の実施形態に対して限定しようとするものではなく、本発明の思想および技術範囲に含まれるすべての変更、均等物または代替物を含むと理解されなければならない。
【００３４】
各図面を説明しながら、類似の参照符号を類似の構成要素について使用する。
【００３５】
第１、第２などの用語は、多様な構成要素を説明するのに使用できるが、前記構成要素は前記用語によって限定されてはならない。前記用語は、１つの構成要素を他の構成要素から区別する目的でのみ使用される。
【００３６】
例えば、本発明の権利範囲を逸脱しない範囲で、第１構成要素は第２構成要素と名付けられてよく、同様に、第２構成要素も第１構成要素と名付けられてよい。「および／または」という用語は、複数の関連する記載項目の組み合わせまたは複数の関連する記載項目のうちのいずれかの項目を含む。
【００３７】
異なって定義されない限り、技術的または科学的な用語を含むここで使用されるすべての用語は、本発明の属する技術分野における通常の知識を有する者によって一般的に理解されるのと同じ意味がある。
【００３８】
一般的に使用される辞書に定義されているような用語は、関連技術の文脈上有する意味と一致する意味を有すると解釈されなければならず、本出願で明らかに定義しない限り、理想的または過度に形式的な意味で解釈されてはならない。
【００３９】
以下、添付した図面を参照して、本発明の一実施形態にかかる電力半導体モジュールおよびその製造方法を詳細に説明する。
【００４０】
図１は、本発明の第１実施形態にかかる電力半導体モジュールの内部接続を示す概念図である。図１を参照すれば、前記電力半導体モジュール１００は、第１デバイス１３１と、前記第１デバイス１３１と一定間隔で配置される第２デバイス１３２と、前記第１デバイス１３１および第２デバイス１３２の外面と接触するように固定的に組立てられ、一側接続端となる第２組立ターミナル１１２と、前記第１デバイス１３１および第２デバイス１３２の間に接触するように固定的に組立てられ、他側接続端となる第１組立ターミナル１１１などとを含んで構成される。
【００４１】
第１組立ターミナル１１１および／または第２組立ターミナル１１２は、導電性材質であって、クリップ形状である。したがって、スプリングのような弾性力で第１および第２デバイス１３１、１３２と接触しながら一定の力で固定する機能を果たす。
【００４２】
第１および第２デバイス１３１、１３２は、電力半導体となる。このような電力半導体は、ＦＥＴ（Ｆｉｅｌｄ  Ｅｆｆｅｃｔ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  ＦＥＴ）、ＩＧＢＴ（Ｉｎｓｕｌａｔｅｄ  Ｇａｔｅ  Ｂｉｐｏｌａｒ  Ｍｏｄｅ  Ｔｒａｎｓｉｓｔｏｒ）、およびパワー整流ダイオードのうちのいずれか１つ、またはこれらの組合体になってよい。
【００４３】
電力半導体モジュール１００は、環境車両のインバータシステムに適用可能である。環境車両の例としては、ハイブリッド自動車（ＨＥＶ：Ｈｙｂｒｉｄ  Ｅｌｅｃｔｒｉｃ  Ｖｅｈｉｃｌｅ）、プラグインハイブリッド自動車（ＰＨＥＶ：Ｐｌｕｇ−ｉｎ  Ｈｙｂｒｉｄ  Ｅｌｅｃｔｒｉｃ  Ｖｅｈｉｃｌｅ）、電気車（ＥＶ：Ｅｌｅｃｔｒｉｃ  Ｖｅｈｉｃｌｅ）、低速電気自動車（ＮＥＶ：Ｎｅｉｇｈｂｏｒｈｏｏｄ  Ｅｌｅｃｔｒｉｃ  Ｖｅｈｉｃｌｅ）、燃料電池自動車（ＦＣＶ：Ｆｕｅｌ−Ｃｅｌｌ  Ｖｅｈｉｃｌｅ）、クリーンディーゼル自動車（ＣＤＶ：Ｃｌｅａｎ  Ｄｉｅｓｅｌ  Ｖｅｈｉｃｌｅ）などが挙げられる。
【００４４】
第１組立ターミナル１１１と第２組立ターミナル１１２との間には絶縁部材１２０が置かれる。絶縁部材１２０は、導電性である第１組立ターミナル１１１と第２組立ターミナル１１２との間の導電性を遮断して絶縁する機能を果たす。
【００４５】
図１では、第１組立ターミナル１１１と第２組立ターミナル１１２が同時に第１デバイス１３１および第２デバイス１３２に接触組立てられるものとして示されているが、同時に組立てられてもよいし、第２組立ターミナル１１２が先に組立てられ、その後、第１組立ターミナル１１１が組立てられてもよい。また、これと逆の順序で組立てられてもよい。
【００４６】
絶縁部材１２０は、エポキシ樹脂、フェノール樹脂、ポリウレタンなどのような高分子絶縁材料などが使用できる。
【００４７】
また、図１では、理解の便宜のために、２つのデバイスと２つの組立ターミナルを参照して説明したが、これに限定されるものではなく、２つ以上のデバイスと２つ以上の組立ターミナルを用いて実現することも可能である。
【００４８】
図２は、図１により組立ターミナルを組立てた後、封止材を用いて最終固定した状態を示す概念図である。図２を参照すれば、図１により、第１および第２組立ターミナル１１１、１１２、第１および第２デバイス１３１、１３２、および絶縁部材１２０を一次的に組立てて固定した後、封止材を用いて保護部２１０を形成する。この保護部２１０はさらに、電力半導体モジュール１００の保護外面を形成する役割も果たす。
【００４９】
封止材は、エポキシ樹脂が主に用いられるが、これに限定されるものではなく、フェノール樹脂、ポリエステル樹脂、メラミン樹脂などの熱硬化性樹脂（ｔｈｅｒｍｏｓｔｔｉｎｇ  ｒｅｓｉｎ）、シリコーンなどが使用できる。
【００５０】
もちろん、他の電子部品との接続のための出力端を形成するために、第２組立ターミナル１１２の一端の端部分には封止材が覆われないように露出する。また、他の電源部品との接続のための入力端を形成するために、第１組立ターミナル１１１の一端の端部分にも封止材が覆われないように露出する。
【００５１】
図３および図４は、入力端の多様な形状を示すものである。つまり、図３は、本発明の第２実施形態にかかる入力端を変形した電力半導体モジュールの構造を示す概念図である。図３を参照すれば、第１組立ターミナル３１１の入力端３１１−１が一字形状である。これと異なり、第２組立ターミナル３１２は半楕円形状である。
【００５２】
図４は、本発明の第３実施形態にかかる入力端を変形した電力半導体モジュールの構造を示す概念図である。図４を参照すれば、第１組立ターミナル４１１の入力端４１１−１がコ字形状またはコ字を反転させた形状である。これと異なり、第２組立ターミナル４１２は半楕円形状である。
【００５３】
図５〜図７は、組立ターミナルとデバイスとの間の接触強度を高めるために、接触部の形状を多様に示すものである。つまり、図５は、本発明の第４実施形態にかかる組立ターミナルとデバイスとの間の接触強度を高めるための電力半導体モジュールの構造を示す概念図である。図５を参照すれば、第１組立ターミナル５１１の右側末端部である接触部５１１−１の形状が他の部分より幅の広い構造となる。第２組立ターミナル５１２は半楕円形状である。
【００５４】
図６は、本発明の第５実施形態にかかる組立ターミナルとデバイスとの間の接触強度を高めるための電力半導体モジュールの構造を示す概念図である。図６を参照すれば、第１組立ターミナル６１１の接触部６１１−１は、両面が鋸歯形状であり、第２組立ターミナル６１２の接触部６１２−１は、内側面が鋸歯形状である。
【００５５】
図７は、本発明の第６実施形態にかかる組立ターミナルとデバイスとの間の接触強度を高めるための電力半導体モジュールの構造を示す概念図である。図７を参照すれば、第１組立ターミナル７１１の接触部７１１−１は、両面が屈曲のある形状であり、第２組立ターミナル７１２の接触部７１２−１は、内側面にのみ屈曲のある形状である。
【００５６】
図８は、本発明の第７実施形態にかかる絶縁部材を組立ターミナルに付着させた状態において電力半導体モジュールの内部接続を示す概念図である。図８を参照すれば、第１組立ターミナル８１１の内側面に第１絶縁部材８１１−１が付着し、第２組立ターミナル８１２の外側面に第２絶縁部材８１２−１が付着する。
【００５７】
この場合、図１に示された構造と異なり、組立ターミナル８１１、８１２に絶縁部材８１１−１、８１２−１を付着させるため、工程が単純化される。
【００５８】
図９は、本発明の第８実施形態にかかる金型を用いて組立ターミナルとデバイスとの間の接触強度をさらに強化する概念図である。図９を参照すれば、下金型枠９０１と上金型枠９０２との間に一次的に組立てられた状態の第１および第２組立ターミナル１１１、１１２、第１および第２デバイス１３１、１３２を挿入する。この状態で、下金型枠９０１と上金型枠９０２を押して二次的に接触状態を追加確保する。二次的な接触状態で、封止材９１０を各下金型枠９０１と上金型枠９０２を通して注入する。注入された封止材は、一定時間が経過した後、硬化（または凝固）される。したがって、最終固定力を確保することができる。
【００５９】
図１０は、本発明の一実施形態にかかる組立ターミナルを用いた電力半導体モジュールの製造過程を示すフローチャートである。図１０を参照すれば、第１デバイス（図１の１３１）、第２デバイス（図１の１３２）、および／または絶縁部材（図１の１２０）などを一定間隔で配置する（ステップＳ１０１０）。
【００６０】
出力端となる第２組立ターミナル（図１の１１２）を、前記第１デバイス１３１および第２デバイス１３２の外面と接触するように固定的に組立てる。これと共に、入力端となる第１組立ターミナル（図１の１１１）を、前記第１デバイス１３１と第２デバイス１３２との間に接触するように固定的に組立てる（ステップＳ１０２０）。もちろん、このような組立順序は逆になってもよいし、同時に行われてもよい。
【００６１】
封止材を用いて、固定的に組立てられている状態を維持するように保護外面のための保護部（図２の２１０）を形成する（ステップＳ１０３０）。
【００６２】
もちろん、前記保護部形成ステップ（Ｓ１０３０）は、金型を用いて第１組立ターミナルおよび第２組立ターミナルを圧着するステップと、前記金型を通して前記封止材を流入させて凝固させるステップとをさらに含むことができる。
【符号の説明】
【００６３】
１００：電力半導体モジュール
１１１：第１組立ターミナル
１１２：第２組立ターミナル
１２０：絶縁部材
１３１：第１デバイス
１３２：第２デバイス
２１０：保護部
９０１：下金型枠
９０２：上金型枠
９１０：封止材
【図１】
0006474645.tif 000002
【図２】
0006474645.tif 000003
【図３】
0006474645.tif 000004
【図４】
0006474645.tif 000005
【図５】
0006474645.tif 000006
【図６】
0006474645.tif 000007
【図７】
0006474645.tif 000008
【図８】
0006474645.tif 000009
【図９】
0006474645.tif 000010
【図１０】
0006474645.tif 000011